(57)【特許請求の範囲】
【請求項１】
原稿載置面上の原稿の縮小画像を、撮像素子の受光面上に結像させる読取レンズであって、物体側から像側に向かって順次、正のパワーを持つ第１群、負のパワーを持つ第２群、正のパワーを持つ第３群、正のパワーを持つ第４群、負のパワーを持つ第５群を配してなり、第２群と第３群の間に絞りを有し、第１群〜第５群は、何れも１枚のレンズで構成される５群５枚構成であり、
第１群を構成する第１レンズは、物体側に凸面を向けた正メニスカスレンズ、  
第２群を構成する第２レンズは、負レンズ、   
第３群を構成する第３レンズは、正レンズ、  
第４群を構成する第４レンズは、正レンズ、  
第５群を構成する第５レンズは、両凹レンズであり、  
非球面を、少なくとも第５レンズに有し、
第１群のｅ線に対する焦点距離：ｆ１、全系のｅ線に対する合成焦点距離：ｆ、正レンズである第１、第３、第４レンズの材質のｄ線に対する屈折率の平均：ｎ凸、負レンズである第２、第５レンズの材質のｄ線に対する屈折率の平均：ｎ凹、上記正レンズの材質のｄ線に対するアッベ数の平均：ν凸、上記負レンズの材質のｄ線に対するアッベ数の平均：ν凹が、条件：  
（１）    １．１      ＜  ｆ1／ｆ  ＜  ３．８    
（２）  −０．０３５  ＜  ｎ凸−ｎ凹  ＜  −０．０３    
（３）    １５．０    ＜  ν凸−ν凹  ＜  １５．３  
を満足することを特徴とする読取レンズ。
【請求項２】
請求項１記載の読取レンズにおいて、  
第２レンズが、物体側に凸面を向けて配置された負メニスカスレンズまたは両凹レンズ、第３レンズが、物体側に凸面を向けて配置された正メニスカスレンズまたは両凸レンズ、第４レンズが、物体側に凸面を向けて配置された正メニスカスレンズまたは両凸レンズであることを特徴とする読取レンズ。
【請求項３】
請求項１または２記載の読取レンズにおいて、  
第５レンズがプラスチック製で、撮像素子であるラインセンサの主走査方向に長い短冊形状であることを特徴とする読取レンズ。
【請求項４】
原稿載置面上の原稿の縮小画像を、読取レンズによって撮像素子の受光面上に結像させて読取る画像読取装置であって、  
原稿載置面上の原稿を照明する照明系と、この照明系で照明された原稿の反射光を縮小結像させる結像レンズと、この結像レンズにより結像された縮小原稿像を光電変換するラインセンサとを有し、
上記結像レンズとして、請求項１〜３の任意の１に記載の読取レンズを用いることを特徴とする画像読取装置。
【請求項５】
請求項４記載の画像読取装置において、  
読取レンズの結像光路内に色分解手段を有し、原稿情報をフルカラーで読み取ることを特徴とする画像読取装置。
【請求項６】
請求項４または５記載の画像読取装置において、  
照明系の光源がＬＥＤであることを特徴とする画像読取装置。
【請求項７】
請求項４〜６の任意の１に記載の画像読取装置を具備した画像形成装置。
【発明の詳細な説明】
【技術分野】
【０００１】
この発明は、読取レンズ、画像読取装置および画像形成装置に関する。
【背景技術】
【０００２】
ファクシミリ装置やデジタル複写機等の画像形成装置に用いられる画像読取装置は、原稿の読取るべき画像情報を読取レンズで縮小し、ＣＣＤのような固体撮像素子上に結像させて画像情報を信号化する。また原稿の画像情報をカラーで読取るため、例えば赤、緑、青のフィルタを持った受光素子が１チップに３列に配列された所謂３ラインＣＣＤを用い、その受光面上に原稿の縮小像を結像させて３原色に色分解し、カラー画像情報を信号化する光学系がある。
【０００３】
このような光学系に用いられる読取レンズは、一般に、像面において高空間周波数領域での高いコントラストが要求されると共に、開口効率が画角周辺部まで１００％近くあることが要求される。  
更に、カラー原稿を良好に読み取るためには、受光面上で赤、緑、青の各色の結像位置を光軸方向に合致させる必要があり、各色の色収差を極めて良好に補正しなければならない。また、光学系の小型化を実現するには「読取レンズの結像の共役長を短く」する必要があり広画角なレンズが求められる。
【０００４】
読取レンズは従来から種々のものが提案されている。  
広画角のものとしては、特許文献１や２記載のものがある。  
これら特許文献１、２記載の読取レンズは、５群５枚構成と構成枚数が比較的少なく、半画角：３０度前後を達成しているが、共にアナモフィックレンズを使用しているため、加工が必ずしも容易でなく、アナモフィックレンズの製造コストが高くなって読取レンズが高価に成り易い。
【０００５】
また、軸対称非球面を用いた５群５枚構成レンズとしては特許文献３、４記載のもの等があるが、これら特許文献３、４記載のものは、半画角が２１．５度程度と狭く、共役長が長く小型化の実現に困難性がある。
【０００６】
出願人も、５群５枚構成の読取レンズとして、負・正・負・正・正の構成のものを種々提案している（特許文献５〜８等）。
【発明の概要】
【発明が解決しようとする課題】
【０００７】
この発明は、５群５枚構成と構成枚数が比較的少なく、Ｃ線（６５６．２７ｎｍ）からｇ線（４３５．８３ｎｍ）の広い波長範囲で「軸上の色収差」が良好に補正され、半画角：３８度と広角で、像面湾曲が良好に補正され、Ｆナンバ：４．２程度の大口径で、開口効率が周辺部まで１００％に近く、かつ諸収差も良好に補正され、高空間周波数領域で高いコントラストを有する小型で低コストの読取レンズとこれを用いた画像読取装置・画像形成装置の実現を課題とする。
【課題を解決するための手段】
【０００８】
この発明の読取レンズは、図１に例示するように、原稿載置面（図１に示すコンタクトガラスの左側面）上の原稿の縮小画像を、撮像素子の受光面上に結像させる読取レンズであって、物体側（図１の左側）から像側に向かって順次、正のパワーを持つ第１群、負のパワーを持つ第２群、正のパワーを持つ第３群、正のパワーを持つ第４群、負のパワーを持つ第５群を配してなり、第２群と第３群の間に絞りを有し、第１群〜第５群は、何れも１枚のレンズで構成される５群５枚構成である。
【０００９】
第１群を構成する第１レンズは、物体側に凸面を向けた正メニスカスレンズである。  
第２群を構成する第２レンズは、負レンズである。  
第３群を構成する第３レンズは、正レンズである。  
第４群を構成する第４レンズは、正レンズである。  
第５群を構成する第５レンズは、両凹レンズである。
【００１０】
そして、非球面が、少なくとも第５レンズに採用される。
【００１１】
第１群（第１レンズ）のｅ線に対する焦点距離：ｆ１、全系のｅ線に対する合成焦点距離：ｆ、正レンズである第１、第３、第４レンズの材質のｄ線に対する屈折率の平均：ｎ凸、負レンズである第２、第５レンズの材質のｄ線に対する屈折率の平均：ｎ凹、上記正レンズの材質のｄ線に対するアッベ数の平均：ν凸、上記負レンズの材質のｄ線に対するアッベ数の平均：ν凹が、条件：  
(１)    １．１  ＜  ｆ1／ｆ  ＜  ３．８  
(２)  −０．０３５  ＜  ｎ凸−ｎ凹  ＜  −０．０３    
(３)  １５．０  ＜  ν凸−ν凹  ＜  １５．３     
を満足する。  
請求項１記載の読取レンズは、第２レンズが「物体側に凸面を向けて配置された負メニスカスレンズまたは両凹レンズ」で、第３レンズが「物体側に凸面を向けて配置された正メニスカスレンズまたは両凸レンズ」、第４レンズが「物体側に凸面を向けて配置された正メニスカスレンズまたは両凸レンズ」であることが好ましい（請求項２）。
【００１２】
請求項１または２記載の読取レンズは、第５レンズがプラスチック製で「撮像素子であるラインセンサの主走査方向に長い短冊形状」であることが好ましい（請求項３）。  
「主走査方向」はラインセンサにおいて微小な光電変換素子（受光素子）がライン状に配列する方向である。
【００１３】
この発明の画像読取装置は「原稿載置面上の原稿の縮小画像を、読取レンズによって撮像素子の受光面上に結像させて読取る画像読取装置」であって、照明系と、結像レンズと、ラインセンサと、を有する（請求項４）。  
「照明系」は、原稿載置面上の原稿を照明する。  
「結像レンズ」は、照明系で照明された原稿の反射光を縮小結像させる結像レンズであり、請求項１〜３の任意の１に記載の読取レンズが用いられる。
【００１４】
「ラインセンサ」は、読取レンズにより結像された縮小原稿像を光電変換する。  
ラインセンサは、１ライン構成のものや３ライン構成のものをもちいることができる。
【００１５】
請求項４記載の画像読取装置は、読取レンズの結像光路内に色分解手段を有し、原稿情報をフルカラーで読み取る構成のものであることができる。
【００１６】
請求項４または５記載の画像読取装置における「照明系の光源」として、ＬＥＤを好適に用いることができる（請求項６）。
【００１７】
この発明の画像形成装置は、請求項４〜６の任意の１に記載の画像読取装置を具備した構成のものである（請求項７）。
【００１８】
説明を補足すると、請求項１における条件(１)は、全系のパワーに対する相対的な第１群のパワーを定めるもので、上限を超えると第１群のパワーが相対的に弱くなりすぎ、レンズ系全長が大きくなってコストアップを招来し易い。下限を超えると第１群のパワーが相対的に強くなり過ぎ、大きい「負の球面収差」が発生し易く、他の群での補正が困難になる。
【００１９】
条件(２)は、読取レンズを構成する正レンズ（第１、第３、第４レンズ）と、負レンズ（第２、第５レンズ）の材質の「屈折率の範囲」を定めるもので、上限を超えると、ペッツバール和が小さくなり、像面が正の側に倒れ像面湾曲が大きくなり易い。下限を超えると、ペッツバール和が大きくなり、像面が負の側に倒れ、非点隔差が大きくなる。  
条件（２）の範囲外では「全画面にわたって良好な結像性能を得る」ことが出来ない。
【００２０】
条件（３）は「軸上の色収差」を良好に補正する条件である。上限を超えると軸上の色収差が補正過剰になり「主波長より短波長側で、軸上の色収差が正の側に大きく」なる。下限を超えると軸上の色収差が補正不足になり「主波長より短波長側で、軸上の色収差が負の側に大きく」なる。
【００２１】
後述する実施例に示すように、第１〜第５レンズの「正・負・正・正・負」のパワー配分において、上記条件（１）〜（３）を満足することにより、コンパクト化、低コスト化、性能の良好化を実現できる。
【００２２】
請求項２のように、第２レンズ、第３レンズ、第４レンズのレンズ形状を定めることにより、読取レンズをコンパクトに保ちながら、緒収差をより良好に補正可能とすることが出来る。
【００２３】
請求項３のように、第５レンズをプラスチック製とし、主走査方向に長い短冊形状であるようにすることには、以下の如き意義がある。
【００２４】
読取レンズは「縮小倍率」で用いられるので、第５レンズの配置位置は「結像面近傍」になる。このため、第５レンズは、ラインセンサの長手方向のサイズと略同程度の長さが必要になる。このため、第５レンズを通常の「円形レンズ」として構成すると、第５レンズの外形が大きくなり、画像読取装置の大型化を招来したり、第５レンズのレンズコスト、ひいては読取レンズ・画像読取装置のコスト上昇を招来したりし易い。
【００２５】
請求項３のように、第５レンズを材料の安価なプラスチックで形成し、外形形状を「主走査方向に長い短冊形状」とし、画像読取装置の薄型化を実現し易くできる。
【００２６】
また、請求項６のように、「照明系の光源」としてＬＥＤを用いることにより、画像読取装置における消費電力の低減が可能となる。
【発明の効果】
【００２７】
以上に説明したように、この発明によれば新規な読取レンズを提供できる。  
この読取レンズは正・負・正・正・負の５枚構成で、後述する実施例に示すように、Ｃ線（６５６．２７ｎｍ）からｇ線（４３５．８３ｎｍ）までの広い波長範囲で「軸上の色収差」が良好に補正され、半画角：約３８度の広画角で像面湾曲が良好に補正され、Ｆナンバ：４．２の大口径で、開口効率が周辺部まで１００％に近く、緒収差も良好に補正され高空間周波数領域で高いコントラストを持つ良好な性能を実現できる。
【００２８】
この用は読取レンズを用いる画像読取装置は、コンパクトで画像読取りを良好に行なうことができ、かかる画像読取装置を用いる画像形成装置はコンパクト化が可能で、良好な画像形成が可能である。
請求項８の発明は、上記読取レンズを使用した画像読取装置を具備する事により、良好な読み取り画像品質を基に画像を形成するため、高画質な画像形成装置が低コストで得られるものである。
【図面の簡単な説明】
【００２９】
【図１】読取レンズのレンズ構成を説明するための図である。
【図２】実施例１のレンズ構成を示す図である。
【図３】実施例１に関する収差図である。
【図４】実施例２のレンズ構成を示す図である。
【図５】実施例２に関する収差図である。
【図６】実施例３のレンズ構成を示す図である。
【図７】実施例３に関する収差図である。
【図８】第５レンズの形状を説明するための図である。
【図９】画像読取装置の実施の１形態を説明するための図である。
【図１０】画像形成装置の実施の１形態を説明するための図である。
【発明を実施するための形態】
【００３０】
以下、発明の実施の形態を説明する。  
図２、図４、図６に、読取レンズの実施の形態を３例示す。これらの実施の形態は、具体的には後述の実施例１〜３の読取レンズに対応するものである。繁雑を避けるため、これらの図において、符号を共通化する。
【００３１】
図２、図４、図６において、符号ＣＧは原稿を載置するコンタクトガラスを示し、符号Ｆは透明平行平板を示す。透明平行平板Ｆは、各種フィルタ、撮像素子のカバーガラス等をこれらに光学的に等価な１枚の透明平行平板として表したものである。
【００３２】
これらの図の左側が「読取レンズの物体側」即ち原稿側であり、右側が像側である。
【００３３】
読取レンズは第１レンズＬ１、第２レンズＬ２、第３レンズＬ３、第４レンズＬ４、第５レンズＬ５を、物体側からこの順序に配し、第２レンズ群Ｌ２と第３レンズ群Ｌ３との間に絞りＳを配してなる。
【００３４】
第１群を構成する第１レンズＬ１は物体側に凸面を向けた正メニスカスレンズである。  
第２群を構成する第２レンズＬ２は負レンズであり、第３群を構成する第３レンズＬ３は正レンズ、第４群を構成する第４レンズＬ４は正レンズである。そして、第５群を構成する第５レンズＬ５は両凹レンズである。
【００３５】
図２に示す実施の形態（後述の実施例１に対応する。）では、第２レンズＬ２は「物体側に凸面を向けて配置された負メニスカスレンズ」、第３レンズＬ３は「両凸レンズ」、第４レンズＬ４は「物体側に凸面を向けて配置された正メニスカスレンズ」である。
【００３６】
図４に示す実施の形態（後述の実施例２に対応する。）では、第２レンズＬ２は「両凹レンズ、第３レンズＬ３は「両凸レンズ」、第４レンズＬ４は「物体側に凸面を向けて配置された正メニスカスレンズ」である。
【００３７】
図６に示す実施の形態（後述の実施例３に対応する。）では、第２レンズＬ２は「両凹レンズ、第３レンズＬ３は「物体側に凸面を向けて配置された正メニスカスレンズ」、第４レンズＬ４は「両凸レンズ」である。
【００３８】
次に、これら読取レンズを用いる画像読取装置の実施の１形態を、図８に示す。  
図８において、読取られるべき画像を有する原稿２はコンタクトガラス１上の「原稿載置面」に平面的に定置される。
【００３９】
コンタクトガラス１の下部に描かれた画像読取ユニット７は箱状であって、内部に照明系３、読取レンズ５、ラインセンサ６が所定の位置関係で配置され、読取レンズ５の物体側の結像光路を構成する折り返しミラーＭ１〜Ｍ５が所定の位置関係で配置されている。
【００４０】
照明系３は、図面に直交する方向に長い管灯(キセノンランプ、ハロゲンランプ等)と、リフレクタで構成され、原稿２の「図面に直交する方向に長いスリット状部分」を照明する。
【００４１】
原稿２の照明された部分からの反射光は、折り返しミラーＭ１〜Ｍ５により順次反射され、読取レンズ５により、撮像素子としてのラインセンサ６の撮像面上に原稿画像の縮小像を結像する。読取りレンズ５としては、請求項１〜３に記載のもの、具体的には実施例１〜３の何れかのものを用いる。
【００４２】
画像読取ユニット７は、図示されない駆動手段により矢印方向（図の右方）へ走行させられ「破線で示す位置」まで等速的に変位して原稿全体の情報を読取る。
【００４３】
「撮像素子」であるラインセンサ６は「色分解手段として赤（Ｒ）、緑（Ｇ）、青（Ｂ）のフィルタを持った光電変換素子（６Ａ、６Ｂ、６Ｃ）を「１チップに３列に配列」させた３ラインＣＣＤ」であり、原稿２の照明走査に伴い原稿画像を画像信号化する。
【００４４】
このようにして原稿２の読取りが実行され、原稿２のカラー画像は、赤・緑・青の３原色に色分解して読取られる。
【００４５】
この画像読取装置は「画像をフルカラーで読取る装置」であって、読取レンズ５の結像光路中に設けられた「色分解手段（前記３ラインＣＣＤに設けられた赤・緑・青のフィルタ）」を有する。
【００４６】
「色分解」は、上記とは別に、読取レンズとラインセンサとの間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法（この場合には、ラインセンサは１列構成のものを用いることができる。）」で行なって行なっても良い。
【００４７】
また、結像光路中に色分解素子を配置せず、原稿情報を「モノクロ画像情報」として読取ることも可能である。なお、この実施の形態では５枚の折り返しミラーＭ１〜Ｍ５を用いる例を示したが、折り返しミラーの枚数は、これに限らず４枚以下でも良いし６枚以上でも良い。
【００４８】
また、照明系３の光源として「キセノンランプ、ハロゲンランプ等、長い管灯を用いているが、照明系の光源としてＬＥＤ（図１の図面に直交する方向へ、複数のＬＥＤを配列して用いる。）を用いることができる。ＬＥＤは消費電力が小さいので、省エネルギ的に優れている。なお、原稿をカラー画像として読取る場合は白色ＬＥＤを用いるが、モノクロ画像として読取る場合には「単色ＬＥＤ」を用いて良い。
【００４９】
なお、図８の実施の形態において、読取レンズ５に用いられる第５レンズＬ５は、図９に示すように外形形状を「主走査方向に長い短冊形状」としたものである。図９の左図は斜視図、右図は光軸方向から見た形状を示す図で、この図の左右方向が「主走査方向」である。
【００５０】
図１０を参照して画像形成装置の実施の１形態を説明する。  
画像形成装置は、装置上部に位置する画像読取装置２００と、その下位に位置する「画像形成部」とを有する。画像読取装置２００の部分は、第８図に即して説明したのと同様のものであり、各部には第1図と同じ符号を付してある。
【００５１】
画像読取装置２００の３ラインのラインセンサ（撮像手段）６から出力される画像信号は画像処理部１２０に送られ、画像処理部１２０において処理されて「書込み用の信号（イエロー・マゼンタ・シアン・黒の各色を書込むための信号）」に変換される。
【００５２】
画像形成部は、「潜像担持体」として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えて「コロナチャージャ」を用いることもできる。
【００５３】
信号処理部１２０から書込み用の信号を受けて光走査により感光体１１０に書込みを行う光走査装置１１７は、帯電ローラ１１１と現像装置１１３との間において感光体１１０光走査を行うようになっている。
【００５４】
符号１１６は定着装置、符号１１８はカセット、符号１１９はレジストローラ対、符号１２２は給紙コロ、符号１２１はトレイ、符号Ｓは「記録媒体」としての転写紙を示している。
【００５５】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって画像部が露光されている。
【００５６】
「画像の書込み」は、感光体１１０の回転に従い、イエロー画像、マゼンタ画像、シアン画像、黒画像の順に行われ、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４上に、転写電圧印加ローラ１１４Ａにより順次転写され、上記各色トナー画像が転写ベルト１１４上で重ね合わせられてカラー画像となる。
【００５７】
転写紙Ｓを収納したカセット１１８は、画像形成装置本体に脱着可能であり、図のごとく装着された状態において、収納された転写紙Ｓの最上位の１枚が給紙コロ１２２により給紙され、給紙された転写紙Ｓはその先端部をレジストローラ対１１９に捕えられる。
【００５８】
レジストローラ対１１９は、転写ベルト１１４上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００５９】
カラー画像を転写された転写紙Ｓは定着装置１１６へ送られ、定着装置１１６においてカラー画像を定着され、図示されないガイド手段による搬送路を通り、図示されない排紙ローラ対によりトレイ１２１上に排出される。各色トナー画像が転写されるたびに、感光体１１０の表面はクリーニング装置１１５によりクリーニングされ、残留トナーや紙粉等が除去される。
【実施例】
【００６０】
以下、読取レンズの具体的な実施例を３例挙げる。  
各実施例における記号の意味は下記の通りである。
【００６１】
ｆ                  ：  全系のｅ線の合成焦点距離
ＦＮｏ              ：Ｆナンバ
ｍ                  ：縮率
ω                  ：半画角(度)
Ｙ                  ：物体高
ｒｉ(ｉ＝１〜１１)  ：物体側から数えてｉ番目の面（絞りの面を含む）の曲率半径
ｄｉ(ｉ＝１〜９)    ：物体側から数えてｉ番目の面間隔  
ｎｊ(ｊ＝１〜５)    ：物体側から数えてｊ番目のレンズの材料の屈折率  
ｖｊ(ｊ＝１〜５)    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：透明平行平板の物体側の曲率半径
ｒｃ４              ：透明平行平板の像側の曲率半径
ｄｃ１              ：コンタクトガラスの肉厚  
ｄｃ３              ：透明平行平板の肉厚
ｎｃ１              ：透明平行平板の材質の屈折率
ｎｃ３              ：コンタクトガラスの材質の屈折率
ｖｃ１              ：コンタクトガラスの材質のアッベ数
ｖｃ３              ：透明平行平板の材質のアッベ数
ｎｄ                ：ｄ線に対する屈折率
ｎｅ                ：ｅ線に対する屈折率  
ｆ１                ：第１レンズのｅ線に対する焦点距離  
ｎ凸                ：正の屈折力を有するレンズのｎｄの平均
ｎ凹                ：負の屈折力を有するレンズのｎｄの平均
ν凸                ：正の屈折力を有するレンズのｎｄの平均
ν凹                ：負の屈折力を有するレンズのｎｄの平均
これらの符号は、図１に示すとおりである。なお、図１においては屈折率：ｎを大文字「Ｎ」で示している。
【００６２】
非球面は、光軸から高さＹにおける非球面の非球面頂点における接平面からの距離：Ｘ、光軸からの高さ：Ｙ、近軸曲率半径：Ｒ、円錐定数：Ｋ、非球面係数：Ａ４、Ａ６、Ａ８、Ａ１０を用いる以下の周知の式で表す。
【００６３】
Ｘ＝(１／Ｒ)×Ｙ２/［１＋√｛(１−(１＋Ｋ)×(Ｙ／Ｒ)２)｝］
＋Ａ４×Ｙ４＋Ａ６×Ｙ６＋Ａ８×Ｙ８＋Ａ１０×Ｙ１０ 
「実施例１」
実施例１は図２に示すレンズ構成のものである。
ｆ＝19.305  、Ｆ＝4.2  、ｍ＝0.11102  、Ｙ＝152.4  、ω＝38.3゜
実施例１のデータを表１に示す。
【００６４】
【表１】
0005594154.tif 000002
【００６５】
「非球面」
非球面のデータを表２に示す。
【００６６】
【表２】
0005594154.tif 000003
【００６７】
なお、上記非球面の表記において、例えば「5.85626E-12」は「5.85626×10-12」を意味する。以下の他の実施例においても同様である。
【００６８】
実施例１に関する収差図を図３に示す。  
収差図において、「ｅ」はｅ線(５４６．０７ｎｍ)、「ｇ」はｇ線(４３６．８３ｎｍ)、「ｃ」はｃ線(６５６．２７ｎｍ)、「Ｆ」はＦ線(４８６．１３ｎｍ)を示す。また、球面収差の図で「破線は正弦条件」、非点収差の図で「実線はサジタル光線、点線はメリディオナル光線」を示す。他の実施例に関する収差図においても同様である。
【００６９】
「実施例２」
実施例２は図４に示すレンズ構成のものである。
ｆ＝19.275  、Ｆ＝4.2  、ｍ＝0.11102  、Ｙ＝152.4  、ω＝38.3゜  
実施例２のデータを表３に示す。
【００７０】
【表３】
0005594154.tif 000004
【００７１】
「非球面」
非球面のデータを表４に示す。
【００７２】
【表４】
0005594154.tif 000005
【００７３】
図５に実施例２に関する収差図を示す。
【００７４】
「実施例３」
実施例３は図６に示すレンズ構成のものである。  
ｆ＝19.456  、Ｆ＝4.2  、ｍ＝0.11102  、Ｙ＝152.4  、ω＝38.1゜  
実施例３のデータを表５に示す。
【００７５】
【表５】
0005594154.tif 000006
【００７６】
「非球面」
非球面のデータを表６に示す。
【００７７】
【表６】
0005594154.tif 000007
【００７８】
図７に実施例３に関する収差図を示す。
【００７９】
「条件式のパラメータの値」
実施例１〜３における条件（１）〜（３）のパラメータの値を表７に示す。
【００８０】
【表７】
0005594154.tif 000008
【００８１】
各実施例とも、Ｃ線（６５６．２７ｎｍ）からｇ線（４３５．８３ｎｍ）までの広い波長範囲で「軸上の色収差」が良好に補正され、半画角：約３８度の広画角で像面湾曲が良好に補正され、Ｆナンバ：４．２の大口径で、開口効率が周辺部まで１００％に近く、緒収差も良好に補正され高空間周波数領域で高いコントラストを持つ良好な性能を実現できている。
【符号の説明】
【００８２】
Ｌ１      第１レンズ  
Ｌ２      第２レンズ  
Ｌ３      第３レンズ  
Ｌ４      第４レンズ  
Ｌ５      第５レンズ  
Ｓ        絞り  
【先行技術文献】
【特許文献】
【００８３】
【特許文献１】特許３８６２４４６号公報
【特許文献２】特開２００２−２４４０３３号公報
【特許文献３】特許３９３９９０８号公報
【特許文献４】特許４４９６２３１号公報
【特許文献５】特開平４−１９１８０９号公報
【特許文献６】特開平４−１９１８１０号公報
【特許文献７】特開平４−１８１９０９号公報
【特許文献８】特開平４−１８４４０９号公報
【図１】
0005594154.tif 000009
【図２】
0005594154.tif 000010
【図３】
0005594154.tif 000011
【図４】
0005594154.tif 000012
【図５】
0005594154.tif 000013
【図６】
0005594154.tif 000014
【図７】
0005594154.tif 000015
【図８】
0005594154.tif 000016
【図９】
0005594154.tif 000017
【図１０】
0005594154.tif 000018